(57)【要約】【課題】調理台としての付加スペースを有し、かつ使い勝手のよいキッチンカウンタを提供する。【解決手段】キッチンカウンタ１は、シンク４を有し、カウンタの幅方向に往復移動可能な補助テーブル１０を備えている。【選択図】図１
2007222281.tif 000002
【特許請求の範囲】
【請求項１】
シンクを有したキッチンカウンタにおいて、
上記カウンタの幅方向に往復移動可能な補助テーブルを備えたことを特徴とするキッチンカウンタ。
【請求項２】
請求項１において、
上記補助テーブルはランナー手段を設けており、このランナー手段をキッチンカウンタの本体に設けたレール手段に係合させて、往復移動可能に支持されていることを特徴とするキッチンカウンタ。
【請求項３】
請求項１または２において、
上記補助テーブルは、上記キッチンカウンタ本体の天板との間に、食器類を載置可能とした空間を形成していることを特徴とするキッチンカウンタ。
【発明の詳細な説明】
【技術分野】
【０００１】
本発明は、シンクを備えたキッチンカウンタに関するものである。
【背景技術】
【０００２】
従来のキッチンカウンタは、カウンタ本体の天板領域に調理をするための調理台を設けているが、シンクやコンロ等の調理機器を備える必要があるため、限られたカウンタ幅のものでは調理台としてのスペースを小さくせざるを得ない。
【０００３】
この問題を解決するために、移動可能な補助カウンタをキッチンカウンタ下の空間に収容し、必要なときに引き出し可能としたものがある。
【０００４】
次の特許文献には、キッチンカウンタ下の空間よりスライド式補助カウンタを出し入れ可能としたキッチン設備が記載されている。図４は、このスライド式補助カウンタを備えたキッチン設備の説明図である。
【０００５】
このキッチンカウンタ１００は、カウンタ下空間に内側取付レール１０４を設け、補助カウンタ１０１には上記内側取付レール１０４に摺動自在に係合する引き出し取付レール１０３を設けることにより、引き出しと収容の往復動作を可能とし、補助カウンタ１０１を引き出した状態では、その天板１０２が追加の調理台となるようにしている。
【特許文献１】特開２００４−３５７７３８号公報
【発明の開示】
【発明が解決しようとする課題】
【０００６】
しかしながら、この種のキッチンカウンタ１００では、補助カウンタ１０１を引き出した状態では台所の足場スペースが狭くなってしまうため、引き出したままでは台所内の作業効率は著しく悪くなる。また、引き出した補助カウンタ１０１の天板１０２上に食器や食材を載せたままでは、補助カウンタ１０１をキッチンカウンタ下に収容することができず、急いで移動するときにはきわめて不便である。さらに、このものでは、補助カウンタ１０１をカウンタ下の空間に収容する構成であるため、水道管はその他の限られた空間にしか配管することができない。
【０００７】
また、調理スペースを増やすために折畳式のエクステンションテーブルを付加したキッチンカウンタもあるが、そのような拡張式のテーブルを広げることができない狭い台所では、そのようなエクステンションテーブルを利用することは不可能である。
【０００８】
本発明は、このような問題を解決すべく提案されたもので、その目的は、調理台としての付加スペースを有し、その付加スペースがじゃまにならず、かつ使い勝手のよいキッチンカウンタを提供することにある。
【課題を解決するための手段】
【０００９】
上記目的を達成するために、請求項１に記載のキッチンカウンタは、シンクを有し、カウンタの幅方向に往復移動可能な補助テーブルを備えたことを特徴とする。
【００１０】
請求項２に記載のキッチンカウンタは、請求項１において、補助テーブルはランナー手段を設けており、このランナー手段をキッチンカウンタの本体に設けたレール手段に係合させて、往復移動可能に支持されていることを特徴とする。
【００１１】
請求項３に記載のキッチンカウンタは、請求項１または２において、補助テーブルは、キッチンカウンタ本体の天板との間に、食器類を載置可能とした空間を形成していることを特徴とする。
【発明の効果】
【００１２】
上記請求項に記載の発明によれば、次のような効果が期待できる。
【００１３】
請求項１に記載のキッチンカウンタによれば、カウンタの幅方向に往復移動可能な補助テーブルを備えているため、例えばシンクを使用しないときにはシンクを覆うように補助テーブルを移動させて、そのテーブルを調理台として使用することができるので、調理台スペースの小さいキッチンカウンタでは、特に有効である。また、キッチンカウンタの上方空間を利用するので、調理のじゃまにはならない。
【００１４】
請求項２に記載のキッチンカウンタによれば、補助テーブルに設けたランナー手段をキッチンカウンタの本体に設けたレール手段に係合させることによって、補助テーブルが往復移動可能に支持される構造となっているため、そのレール手段をカウンタの全幅にわたって取り付ければ、補助テーブルをカウンタ全幅内で自在に移動させることができる。
【００１５】
請求項３に記載のキッチンカウンタによれば、補助テーブルとキッチンカウンタ本体の天板との間には、食器類を載置可能とした空間が形成されるようになっているため、本体の調理スペースに食器や食材を載せたままでも補助テーブルを移動させることができる。
【発明を実施するための最良の形態】
【００１６】
以下に、本発明の実施の形態について、添付図面を参照しながら説明する。
【実施例１】
【００１７】
図１は、本発明のキッチンカウンタ１の一例を示す斜視図である。また図２は、図１に示したキッチンカウンタ１の補助テーブル１０を取り外した状態の斜視図である。
【００１８】
キッチンカウンタ１は、台所の壁面等に固定して、あるいはアイランドキッチンとして台所に独立して使用され、そのカウンタ本体１ａは天板２とそれを支持する収納キャビネット３とを備えて構成される。なお、以下の説明では、本発明の要部である補助テーブル１０を含んだ構成をキッチンカウンタ１と、含まない構成をキッチンカウンタ本体１ａあるいはカウンタ本体１ａと呼ぶ。
【００１９】
天板２の領域内には、シンク４と、水栓５と、食材や食器を載せ置く調理台部６と、ガスコンロ等の調理機器７とを形成し、また、収納キャビネット３の前面側には、カウンタの長手方向（幅方向）の略全長にわたって幕板８が配設され、その下方の調理機器７側には機器操作部９が配設されている。
【００２０】
また、天板２の壁（奥）側には、水などが流れ落ちないための堰部２ａが形成されている。後述するように本例のキッチンカウンタ１は、補助テーブル１０の係合片１０ｂをカウンタ本体１ａと壁との隙間に差し込んで使用する構成であるため、上記堰部２ａは、そのような隙間に物が落ち込まないために有効に作用する。
【００２１】
さらに収納キャビネット３と幕板８との間には、幕板８によって隠蔽された状態で、後述する補助テーブル１０の走行ガイド用のレール手段２０が配設され、後面側にも同様のレール手段２０が配設されている（後面側のレール手段は不図示）。
【００２２】
なお、前面側のレール手段２０は、見栄えをよくするために幕板８で隠蔽されているが、後面側レール手段２０は、そのようなものを必要としないことはいうまでもない。レール手段２０の詳細構成については、図３で後述する。
【００２３】
本発明のキッチンカウンタ１は、図１に示すように、キッチンカウンタ本体１ａの幅方向に往復移動可能な補助テーブル１０をさらに備えたものである。
【００２４】
この補助テーブル１０は、ステンレス、アルミニウムなどの金属または樹脂を素材として構成され、テーブル面部１０ａと、テーブル面部１０ａの前端とテーブル面部１０ａの後端の両端より折曲した２つの係合片１０ｂ、１０ｂとを備えた側面視コ字形の形状であって、さらに、係合片１０ｂ、１０ｂの内側面にランナー手段１１（図３に示す）を備えている。
【００２５】
したがって、そのテーブル面部１０ａをカウンタ本体１ａの天板２の上方に配置させ、２つの係合片１０ｂ、１０ｂでキッチンカウンタ本体１ａを前面と後面より挟み込むようにして、ランナー手段１１をキッチンカウンタ本体１ａの前、後面に設けたレール手段２０、２０に係合させることによって、シンク４の上方からカウンタ本体１ａの天板２の上方に渡り、カウンタ幅方向の往復移動を可能にしている。
【００２６】
また、補助テーブル１０の幅は、シンク４全体を覆う程度の長さがあることが望ましいが、これには限定されない。
【００２７】
この補助テーブル１０はカウンタ全幅内での往復移動を自在としているため、調理の段階によっては、食材や食器の一時置き場として、あるいは食材をカットしたり、きざんだりする場所として利用できる。特に、調理台部６のスペースが小さいカウンタ１には有効である。また、補助テーブル１０は、テーブル面部１０ａと天板２との間に食器類を載置可能とした空間が形成されるような高さに設置すれば、調理台６に食器類を置いたままでもテーブル移動できるので、キッチンカウンタ１のすべての載置スペースを有効に利用することができる。
【００２８】
補助テーブル１０をキッチンカウンタ本体１ａに装着した後は、補助テーブル１０が挿入開口１５より抜け落ちないように、かつ見栄えをよくするために、挿入開口１５を蓋（不図示）で塞ぐことが望ましい。
【００２９】
さらに、補助テーブル１０は、調理機器７の使用状況によって移動制限がなされるようにしてもよい。たとえば、機器操作部９を点火操作してから消火操作後一定時間が経過するまでは、上記操作に連動して自動的にストッパ（不図示）が作動し、ランナー手段１１が走行するための通路１６あるいはレール手段２０を遮断するようにして、補助テーブル１０が調理機器７側に移動できないようにすればよい。それとともに、補助テーブル１０が調理機器７の上方に位置しているときは、機器操作部９の点火操作を禁止できる構成とすることも望ましい。
【００３０】
なお後述するように、往復移動をスムーズにするためにランナー手段１１として転輪１３を有したものを採用しているが、その転輪１３が所望の位置で停止し補助テーブル１０がずり動かないように、補助テーブル１０をキッチンカウンタ本体１ａに係止させるための停止手段（不図示）を設けるようにしてもよい。
【００３１】
また、補助テーブル１０は、折畳式のエクステンションテーブル（不図示）を左右いずれかの天板２端部に付加したキッチンカウンタにも適用可能である。このものでは、補助テーブル１０を、エクステンションテーブルを取り付けた側の端部まで移動させれば、エクステンションテーブルと補助テーブル１０とにより、幅方向に連続した広い調理スペースを確保できる。
【００３２】
図３は、往復移動可能とした補助テーブル１０のキッチンカウンタ本体１ａとの係合構造を説明したもので、（ａ）は補助テーブル１０の斜視図、（ｂ）は（ａ）の補助テーブル１０をキッチンカウンタ本体１ａに装着したときの符号Ａ部の縦断面図、（ｃ）はレール部材２２の斜視図である。
【００３３】
上述したように、補助テーブル１０の２つの係合片１０ｂの内側面には、それぞれ２つのランナー手段１１を設けている。
【００３４】
なお、補助テーブル１０の２つの係合片１０ｂをカウンタの前、後面のいずれにも対応できるように、キッチンカウンタ本体１ａ側では、前、後面に取り付けるレール手段２０は同一ものを採用し、かつ設置高さも同一とする一方、補助テーブル１０側では、２つの係合片１０ｂを、その長さおよびランナー手段１１の取付高さ位置を同一とした一対のものとすることが望ましい。もっとも、補助テーブル１０はこのような形状に限定するものではなく、非対称のものでもよく、たとえば、カウンタ前面用に１つの係合片１０ｂのみを設け、壁（不図示）に設けたレール手段（不図示）に係合されるようなランナー手段をテーブル面部１０ａの裏面端縁部に設けたものであってもよい。
【００３５】
本実施例では、一対の係合片１０ｂ、１０ｂを有した図示した形状の補助テーブル１０を使用した場合を示しており、以下にはカウンタ前面側のみの係合構造について図示して説明する。
【００３６】
ランナー手段１１は、レール手段２０を走行するための転輪１３と、ランナー金具１２とよりなる。ランナー金具１２は、補助テーブル１０の係合片１０ｂの内側面に当接してネジ等で固着される取付片１２ａと、転輪１３を接続したランナー片１２ｂと、それらを繋ぐ連結片１２ｃとよりなる断面略Ｕ字形に形成されたものである。
【００３７】
なおランナー手段１１は、キッチンカウンタ本体１ａに装着する際に、挿入開口１５に簡単に挿入、装着できるように上記のような断面略Ｕ字形のものを使用するが、そのような形状に限定されないことはいうまでもない。
【００３８】
また転輪１３は、後述するレール部材２２に形成した軌道用の突条部２２と係合されるように、全外周にわたって凹部１３ａを形成している。
【００３９】
一方、レール手段２０は、収納キャビネット３の前面側に突設させたレール台２１と、レール部材２２とよりなり、いずれもキッチンカウンタ１の幅方向全体にわたって設置されている。
【００４０】
レール台２１は、ステンレス、アルミニウムなどの金属を素材とし、収納キャビネット３のアルミニウムなどよりなる枠部３ａにネジ固着され、さらにその前面に幕板８が貼り付けられる。なお、３ｂはカウンタ１高さを調節するための調節ネジ具である。
【００４１】
またレール部材２２は、ステンレスなどの金属を素材として構成され、図３（ｃ）に示すように、カウンタ幅方向に沿うように、固定片２２ａとレール片２２ｃとが段差部２２ｂを介して水平に形成され、全体を階段状としたものである。レール片２２ｃは、長手方向に沿って形成された突条部２２ｄを有し、ランナー金具１２に接続した転輪１３と係合し、転輪１３が回転することによって、補助テーブル１０を往復移動可能に支持する構成となっている。なお、２２ｅは所定間隔で開設されたネジ孔である。
【００４２】
転輪１３とレール軌道との係合は、上記の方法に限定されず、転輪１３がカウンタ幅方向（レール部材２２の長手方向）に沿って直線軌道上をガイドされるものであればよく、レール手段２０側に軌道溝（不図示）を設け、その溝を転輪１３が走行する構成であってもよい。
【００４３】
また、本実施例ではランナー手段２０として転輪１３を有したものを採用したが、キッチンカウンタ本体１ａに取付レールを、補助テーブル１０には移動レールを設け、それらのレールが摺動自在となって往復移動ができる構成であってもよい。
【００４４】
また、補助テーブル１０は、キッチンカウンタ本体１ａに対して、係合片１０ｂの内側に設けたランナー手段１１がレール手段２０に係合されるように、カウンタ本体１ａの側方よりスライドさせて装着したものを説明したが、このような手段に限定されず、カウンタ本体１ａの上方をガイドされ、往復移動できるものであればよい。たとえば、補助テーブルはカウンタ本体１ａに直接装着される構成でなくてもよい。
【図面の簡単な説明】
【００４５】
【図１】本発明のキッチンカウンタの全体斜視図である。
【図２】図１に示したキッチンカウンタの補助テーブルを取り外した状態の斜視図である。
【図３】補助テーブルとキッチンカウンタ本体との係合構造を説明したもので、（ａ）は補助テーブルの斜視図、（ｂ）は補助テーブルをカウンタに装着したときの符号Ａ部の縦断面図、（ｃ）はレール部材の斜視図である。
【図４】従来の補助テーブル付きキッチンカウンタの全体斜視図である。
【符号の説明】
【００４６】
１      キッチンカウンタ
１ａ      キッチンカウンタ本体
１０      補助テーブル
１０ａ      テーブル面部
１０ｂ      係合片
１１      ランナー手段
１２      ランナー金具
１３      転輪
２０      レール手段
２１      レール台
２２      レール部材
２２ｃ      レール片
２２ｄ      突条部
２      天板
３      収納キャビネット
４      シンク
６      調理台部
７      調理機器
８      幕板
【図１】
2007222281.tif 000003
【図２】
2007222281.tif 000004
【図３】
2007222281.tif 000005
【図４】
2007222281.tif 000006